(57)【要約】【課題】電話端末側でダイヤル信号を出力する際のダイヤル方式を間違って設定してしまうことを防止するための技術を提供すること。【解決手段】電話端末は、各ダイヤル方式それぞれにより方式決定信号を出力し、この信号それぞれを出力した後に選択接続装置から入力される応答信号の組合せに対応する方式データをデータテーブルから選択した後、この方式データで示されるダイヤル方式をダイヤル信号のダイヤル方式として設定する。データテーブルは、選択接続装置が各ダイヤル方式それぞれにより方式決定信号を入力した際に電話端末側へ出力する応答信号の組合せが登録されており、この組合せは、選択接続装置がいずれのダイヤル方式に設定された電話回線に接続されているかによって異なるため、このデータテーブルに基づいてダイヤル方式を設定することによって、ダイヤル方式が間違って設定されてしまうことがない。【選択図】図４
2004214878.tif 000002
【特許請求の範囲】
【請求項１】
ダイヤル方式を決定するためのダイヤル信号である方式決定信号を、複数種類のダイヤル方式それぞれで電話回線網側へ出力する方式決定信号出力手段と、
該方式決定信号出力手段によりダイヤル方式それぞれの前記方式決定信号が出力される毎に電話回線網側から入力される応答信号の組合せに基づいて、電話回線網側へ出力すべきダイヤル信号のダイヤル方式を決定する方式決定手段と、
通話相手側となる端末装置のダイヤル番号を利用者に指定させる番号指定手段と、
前記番号指定手段により指定されたダイヤル番号を示すダイヤル信号である利用者指定信号を、前記方式決定手段により決定されたダイヤル方式で電話回線網側へ出力する利用者指定信号出力手段と、を備えており、
前記方式決定手段は、少なくともダイヤルトーンおよび該ダイヤルトーン以外の信号を含む複数種類の応答信号の組合せに基づいてダイヤル方式を決定することを特徴とする電話端末。
【請求項２】
前記方式決定信号出力手段は、当該電話端末が起動した際に、前記方式決定信号を電話回線網側へ出力する
ことを特徴とする請求項１に記載の電話端末。
【請求項３】
前記方式決定信号出力手段によりダイヤル方式それぞれの前記方式決定信号が出力される毎に電話回線網側から入力される応答信号の組み合わせと、当該電話端末が電話回線網側へ出力すべきダイヤル信号のダイヤル方式とを対応付けて登録したデータテーブルを記録するテーブル記録手段を備え、
前記方式決定手段は、前記テーブル記録手段に記録されたデータテーブルに登録されているダイヤル方式のうち、電話回線網側から入力された応答信号の組み合わせに対応するダイヤル方式を、電話回線網側へ出力すべきダイヤル信号のダイヤル方式として決定する
ことを特徴とする請求項１または請求項２に記載の電話端末。
【請求項４】
ダイヤル方式を利用者に指定させる方式指定手段を備え、
前記方式決定手段は、前記テーブル記録手段に記録されたデータテーブルに、電話回線網側から入力される応答信号の組み合わせに対応するダイヤル方式が登録されていない場合、前記方式指定手段により指定されたダイヤル方式を、電話回線網側へ出力すべきダイヤル信号のダイヤル方式として決定する
ことを特徴とする請求項３に記載の電話端末。
【請求項５】
前記テーブル記録手段に記録されたデータテーブルに、電話回線網側から入力される応答信号の組み合わせに対応するダイヤル方式が登録されていない場合に、前記方式指定手段によりダイヤル方式を指定すべき旨を報知する指定報知手段を備えている
ことを特徴とする請求項４に記載の電話端末。
【請求項６】
通話相手側となる端末装置のダイヤル番号に応じて、少なくとも電話回線網およびインターネットを含む複数種類のネットワークそれぞれへ電話端末を選択的に接続することによって、該電話端末による複数種類のネットワークのうちいずれかのネットワークによる音声通話を実現する選択接続装置と、電話端末とからなる通話システムであって、
前記電話端末は、
電話回線網におけるダイヤル方式を決定するためのダイヤル信号である方式決定信号を、複数種類のダイヤル方式それぞれで前記選択接続装置へ出力する方式決定信号出力手段と、
該方式決定信号出力手段によりダイヤル方式それぞれの前記方式決定信号が出力される毎に前記選択接続装置から入力される応答信号に基づいて、電話回線網側へ出力すべきダイヤル信号のダイヤル方式を決定する方式決定手段と、
通話相手側となる端末装置のダイヤル番号を利用者に指定させる番号指定手段と、
前記番号指定手段により指定されたダイヤル番号を示すダイヤル信号である利用者指定信号を、前記方式決定手段により決定されたダイヤル方式で前記選択接続装置へ出力する利用者指定信号出力手段と、を備えている
ことを特徴とする通話システム。
【請求項７】
通話相手側となる端末装置のダイヤル番号に応じて、少なくとも電話回線網およびインターネットを含む複数種類のネットワークそれぞれへ電話端末を選択的に接続することによって、該電話端末による複数種類のネットワークのうちいずれかのネットワークによる音声通話を実現する選択接続装置と、請求項１から請求項５のいずれかに記載の電話端末とからなる
ことを特徴とする通話システム。
【請求項８】
前記選択接続装置は、電話回線網におけるダイヤル方式を問い合わせるための方式問合信号を入力した際に、ネットワークとの間で特定の信号を入出力することによってダイヤル方式を推定し、該推定したダイヤル方式を特定可能な信号を応答信号として出力するように構成されたものであって、
前記電話端末の備える前記方式決定手段は、所定の問合条件が満たされた際に、前記選択接続装置へ前記方式問合信号を出力し、該方式問合信号を出力した後に前記選択接続装置から入力した前記応答信号で特定されるダイヤル方式を、電話回線網側へ出力すべきダイヤル信号のダイヤル方式として決定する
ことを特徴とする請求項６または請求項７に記載の通話システム。
【請求項９】
前記電話端末において、
前記方式決定信号出力手段によりダイヤル方式それぞれの前記方式決定信号が出力される毎に電話回線網側から入力される応答信号の組み合わせと、当該電話端末が電話回線網側へ出力すべきダイヤル信号のダイヤル方式とを対応付けて登録したデータテーブルを記録するテーブル記録手段が備えられ、
前記方式決定手段は、前記テーブル記録手段に記録されたデータテーブルに登録されているダイヤル方式のうち、電話回線網側から入力された応答信号の組み合わせに対応するダイヤル方式が登録されている場合、該ダイヤル方式を電話回線網側へ出力すべきダイヤル信号のダイヤル方式として決定する一方、登録されていない場合、所定の問合条件が満たされたこととして、前記方式問合信号を出力する
ことを特徴とする請求項８に記載の通話システム。
【請求項１０】
請求項８または請求項９に記載の通話システムを構成する電話端末。
【請求項１１】
少なくとも請求項１から請求項１０のいずれかに記載の方式決定信号出力手段、方式決定手段、番号指定手段および利用者指定信号出力手段として、コンピュータシステムを機能させるためのダイヤルプログラム。
【発明の詳細な説明】
【０００１】
【発明の属する技術分野】
本発明は、複数種類のネットワークそれぞれへ電話端末を選択的に接続する選択接続装置と共に通話システムを構成する電話端末、選択接続装置と電話端末とで構成される通話システム、および、これらにおいて利用可能なダイヤルプログラムに関する。
【０００２】
【従来の技術】
従来から、電話端末に電話回線を介して接続される交換機は、電話端末側でのオフフックを検出したらダイヤルトーンの出力を開始し、この電話回線に対して設定された正しいダイヤル方式のダイヤル信号を入力したときにはダイヤルトーンの出力を停止するように構成されている。
【０００３】
そのため、電話端末が電話回線網側へ出力するダイヤル信号は、この電話回線に対して設定された正しいダイヤル方式で出力しなければならず、電話端末においてダイヤル信号のダイヤル方式を設定しておく必要がある。ここで、「ダイヤル方式」とは、トーンダイヤル方式（または、プッシュ方式、ＤＴＭＦ方式；Ｄｕａｌ  Ｔｏｎｅ  Ｍｕｌｔｉ  Ｆｒｅｑｕｅｎｃｙ  ）、および、２種類のパルスダイヤル方式（１０ｐｐｓ、２０ｐｐｓ）で区別されるダイヤル種別のことである。
【０００４】
近年では、このような交換機の動作に基づいて、電話端末側でダイヤル方式を自動設定するための技術が種々提案されている。
例えば、複数のダイヤル方式（ダイヤル種別）の中から１つずつ選択されたダイヤル方式により、利用者が発呼のために入力（ダイヤル操作）したダイヤル番号（電話番号）の第１番目（桁目）の数字を示すダイヤル信号を電話回線へ出力（ダイヤル送出）し、ダイヤルトーンを検出できなくなる直前に使用されたダイヤル方式を、ダイヤル信号を出力する際のダイヤル方式として設定（記憶）して、この設定したダイヤル方式によりダイヤル番号における第２番目以降の数字を示すダイヤル信号を出力すると共に、以後の発呼においても設定済みのダイヤル方式によりダイヤル信号を出力する、といった技術が提案されている（特許文献１参照）。このような技術を利用すれば、あらかじめ電話端末側でダイヤル信号のダイヤル方式を設定しておくことができる。
【０００５】
【特許文献１】
特開平８−１７２４７０号公報
【０００６】
【発明が解決しようとする課題】
ところで、近年、電話端末をダイヤル番号（電話番号）に応じて電話回線およびインターネットへ選択的に接続することのできる装置（以降、選択接続装置とする）により、電話端末と電話回線網またはインターネットとを間接的に接続し、電話端末による電話回線網を介した発呼・音声通話だけでなく、インターネットを介した発呼・音声通話を実現するサービスが提供されている。
【０００７】
このサービスにおける選択接続装置は、ダイヤル番号を示す信号として電話端末から入力したダイヤル信号に基づいてダイヤル番号を識別し、識別したダイヤル番号が電話回線網経由で発呼・接続すべきダイヤル番号であれは、ダイヤル信号を電話端末から入力したそのままの状態で電話回線網側へ出力する一方、インターネット経由で発呼・接続すべきダイヤル番号であれば、ダイヤル信号を所定のシグナリング手順（ＶｏＩＰによる；Ｖｏｉｃｅ  ｏｖｅｒ  ＩＰ）に従った形式に変換してインターネット側へ出力することが一般的である。
【０００８】
また、この種の選択接続装置は、ダイヤル番号を識別した後で電話端末を電話回線網側またはインターネット側へ接続するといった構成上、ダイヤル信号を出力する機能の他に、電話端末側からの各種信号（例えば、オフフックを示す発呼信号、ダイヤル信号など）の入力を検出する機能、電話回線網側へ発呼信号を出力（中継）する機能、電話端末側へ各種信号（例えば、ダイヤルトーン、ビジートーンなど）を出力する機能を有している。これらの機能によって、選択接続装置は、例えば、電話端末においてオフフックが行われたときには、電話端末へのダイヤルトーンの出力を開始して、その後、ダイヤル番号を入力する操作が行われたときに、ダイヤルトーンの出力を停止する、といったように、電話端末を電話回線網に直接接続した構成における交換機と同様に機能する。
【０００９】
このことから、上述のサービスを、上述した特許文献１に記載の技術を採用した電話端末により利用する場合においても、通常は、電話端末において電話回線網側へ出力すべきダイヤル信号のダイヤル方式を設定することはできるはずである。しかし、選択接続装置が、電話端末による発呼時にダイヤルトーン以外の信号をも電話端末側へ出力するような仕様になっている場合、電話端末は、電話回線に対して設定されたダイヤル方式とは異なるダイヤル方式を、電話回線網側へ出力すべきダイヤル信号のダイヤル方式として設定してしまい、電話端末からの発呼が正常に行えなくなってしまう恐れがある。
【００１０】
本発明は、上記問題を解決するためになされたものであり、その目的は、電話端末側でダイヤル信号を出力する際のダイヤル方式を間違って設定してしまうことを防止するための技術を提供することである。
【００１１】
【課題を解決するための手段および発明の効果】
上記問題を解決するため請求項１に記載の電話端末は、方式決定信号出力手段、方式決定手段、番号指定手段および利用者指定信号出力手段を備えており、まず、方式決定信号出力手段が、ダイヤル方式を決定するためのダイヤル信号である方式決定信号を、複数種類のダイヤル方式それぞれで電話回線網側へ出力する。続いて、方式決定手段が、方式決定信号出力手段によりダイヤル方式それぞれの方式決定信号が出力される毎に電話回線網側から入力される応答信号の組合せに基づいて、電話回線網側へ出力すべきダイヤル信号のダイヤル方式を決定する。このとき、方式決定信号は、少なくともダイヤルトーンおよびダイヤルトーン以外の信号を含む複数種類の応答信号の組合せに基づいてダイヤル方式を決定する。その後、番号指定手段が、通話相手側となる端末装置のダイヤル番号を利用者に指定させる。そして、利用者指定信号出力手段が、番号指定手段により指定されたダイヤル番号を示すダイヤル信号である利用者指定信号を、方式決定手段により決定されたダイヤル方式で電話回線網側へ出力する。
【００１２】
このように構成された電話端末によれば、ダイヤル方式それぞれの方式決定信号を出力する毎に電話回線網側から入力される応答信号の組合せに基づいて、ダイヤル信号のダイヤル方式を決定することができる。このとき、ダイヤル方式は、少なくともダイヤルトーンおよびダイヤルトーン以外の信号を含む複数種類の応答信号の組合せに基づいて決定される。
【００１３】
そのため、例えば、電話端末を電話回線およびインターネットへ選択的に接続することのできる装置（以降、選択接続装置とする）により電話端末と電話回線およびインターネットとを間接的に接続した構成において、選択接続装置が、電話端末による発呼時にダイヤルトーン以外の信号をも電話端末側へ出力するような仕様になっている場合であっても、電話回線に対して設定されたダイヤル方式に応じて応答信号の組合せが異なっていれば、この組合せに基づき電話回線網側へ出力すべきダイヤル信号のダイヤル方式を決定するように構成すれば、電話回線に対して設定されたダイヤル方式とは異なるダイヤル方式を、電話回線網側へ出力すべきダイヤル信号のダイヤル方式として決定（設定）してしまうことがない。
【００１４】
なお、上述の方式決定信号出力手段は、方式決定信号を複数種類のダイヤル方式それぞれで選択接続装置へ出力する手段であって、例えば、外部からの指令を受けたことを契機として、方式決定信号を選択接続装置へ出力するように構成すればよい。具体的な構成としては、例えば、電話端末に設けられた操作部により方式決定信号を出力させるための操作が行われたことによる指令信号を受けて方式決定信号を出力したり、電話端末とデータ通信可能に構成された別の装置からの指令信号を受けて方式決定信号を出力する、といった構成を考えることができる。
【００１５】
また、この方式決定信号出力手段は、請求項２に記載のように、電話端末が起動したことを契機として、方式決定信号を電話回線網側へ出力するように構成してもよい。
このように構成された電話端末によれば、電話端末自身が起動すると共に、方式決定信号を出力してダイヤル信号を出力する際のダイヤル方式を設定することができる。
【００１６】
また、方式決定手段は、電話回線網側へ出力すべきダイヤル信号のダイヤル方式を決定する手段であって、具体的な構成としては、例えば、電話回線網側から入力される応答信号の組み合わせと、電話端末が電話回線網側へ出力すべきダイヤル信号のダイヤル方式とを対応付けて登録したデータテーブルに基づいて、電話回線網側へ出力すべきダイヤル信号のダイヤル方式を決定する、といった構成が考えられる。
【００１７】
このようにデータテーブルに基づいてダイヤル方式を決定するためには、請求項３に記載のように、方式決定信号出力手段によりダイヤル方式それぞれの方式決定信号が出力される毎に電話回線網側から入力される応答信号の組み合わせと、電話端末が電話回線網側へ出力すべきダイヤル信号のダイヤル方式とを対応付けて登録したデータテーブルを記録するテーブル記録手段を備え、方式決定手段が、テーブル記録手段に記録されたデータテーブルに登録されているダイヤル方式のうち、電話回線網側から入力された応答信号の組み合わせに対応するダイヤル方式を、電話回線網側へ出力すべきダイヤル信号のダイヤル方式として決定する、ように構成すればよい。
【００１８】
このように構成された電話端末によれば、データテーブルに登録されているダイヤル方式から、応答信号の組合せに対応するダイヤル方式を選択するだけで、電話回線網側へ出力すべきダイヤル信号のダイヤル方式を容易に決定することができる。
【００１９】
さらに、選択接続装置により電話端末と電話回線およびインターネットとを間接的に接続した構成において、選択接続装置側の仕様や動作パターンを変更する場合、または、選択接続装置そのものを交換するような場合であっても、データテーブルの内容を変更・修正することによって、仕様や動作パターンの変更、または、選択接続装置の交換に対応することができる。
【００２０】
なお、この構成においては、テーブル記録手段に複数種類の選択接続装置それぞれに対応する複数のデータテーブルを記録させておき、さらに、外部からの指令を受けて、方式決定手段がダイヤル方式を決定する際に参照すべきデータテーブルを複数のデータテーブルのいずれかに切り替えるテーブル切替手段を備えてもよい。ここで、テーブル切替手段は、例えば、電話端末に設けられた操作部によりデータテーブルを切り替えるための操作が行われたことによる指令信号を受けてデータテーブルを切り替えたり、電話端末とデータ通信可能に構成された別の装置からの指令信号を受けてデータテーブルを切り替える、ように構成すればよい。このように構成すれば、選択接続装置そのものを交換するような場合であっても、テーブル切替手段によって、方式決定手段が参照すべきデータテーブルを交換後の選択接続装置に対応するデータテーブルに切り替えるだけで、容易に選択接続装置の交換に対応することができる。
【００２１】
また、請求項４に記載の電話端末は、ダイヤル方式を利用者に指定させる方式指定手段を備え、テーブル記録手段に記録されたデータテーブルに、電話回線網側から入力される応答信号の組み合わせに対応するダイヤル方式が登録されていない場合、方式決定手段が、方式指定手段により指定されたダイヤル方式を、電話回線網側へ出力すべきダイヤル信号のダイヤル方式として決定する。
【００２２】
このように構成された電話端末によれば、電話回線網側から入力された応答信号の組合せに対応するダイヤル方式がデータテーブルに登録されていない場合には、方式指定手段により指定されたダイヤル方式を、電話回線網側へ出力すべきダイヤル信号のダイヤル方式として決定することができる。
【００２３】
なお、上述した方式指定手段は、ダイヤル方式を利用者に指定させる手段であって、例えば、ダイヤル方式を指定するための専用の操作部や、ダイヤル方式を指定するための操作手順が設定された既設の操作部などのことである。
また、この構成においては、請求項５に記載のように、テーブル記録手段に記録されたデータテーブルに、電話回線網側から入力される応答信号の組み合わせに対応するダイヤル方式が登録されていない場合に、方式指定手段によりダイヤル方式を指定すべき旨を報知する指定報知手段を備えているとよい。
【００２４】
このように構成された電話端末によれば、電話回線網側から入力された応答信号の組合せに対応するダイヤル方式がデータテーブルに登録されていない場合には、方式指定手段によりダイヤル方式を指定すべき旨を利用者に報知することができる。
【００２５】
また、請求項６に記載の通話システムは、選択接続装置と電話端末とからなる。この通話システムにおいて、選択接続装置は、通話相手側となる端末装置のダイヤル番号に応じて、少なくとも電話回線網およびインターネットを含む複数種類のネットワークそれぞれへ電話端末を選択的に接続することによって、該電話端末による複数種類のネットワークのうちいずれかのネットワークによる音声通話を実現する装置である。
【００２６】
また、電話端末は、方式決定信号出力手段、方式決定手段、番号指定手段および利用者指定信号出力手段を備えた装置であって、まず、方式決定信号出力手段が、電話回線網におけるダイヤル方式を決定するためのダイヤル信号である方式決定信号を、複数種類のダイヤル方式それぞれで選択接続装置へ出力する。続いて、方式決定手段が、方式決定信号出力手段によりダイヤル方式それぞれの方式決定信号が出力される毎に選択接続装置から入力される応答信号に基づいて、電話回線網側へ出力すべきダイヤル信号のダイヤル方式を決定する。その後、番号指定手段が、通話相手側となる端末装置のダイヤル番号を利用者に指定させる。そして、利用者指定信号出力手段が、番号指定手段により指定されたダイヤル番号を示すダイヤル信号である利用者指定信号を、方式決定手段により決定されたダイヤル方式で選択接続装置へ出力する。
【００２７】
このように構成された電話端末によれば、ダイヤル方式それぞれの方式決定信号を出力する毎に選択接続装置から入力される応答信号に基づいて、ダイヤル信号のダイヤル方式を決定することができる。そのため、例えば、選択接続装置が、ダイヤル方式に拘わらずダイヤル番号を識別できるように構成されている場合、交換機とは異なる動作パターンで動作する場合、および、交換機が出力することのない信号を電話機側へ出力するように構成されている場合のいずれの場合においても、各ダイヤル方式の方式決定信号を入力した後で電話端末側へ出力される応答信号それぞれ（応答信号の組合せ）が、電話回線に対して設定されたダイヤル方式それぞれによって異なっていれば、この応答信号に基づきダイヤル方式が設定されるように構成すれば、ダイヤル方式が間違って設定されてしまうことがない。
【００２８】
また、請求項７に記載の通話システムは、選択接続装置と請求項１から請求項５のいずれかに記載の電話端末とからなる。この選択接続装置は、通話相手側となる端末装置のダイヤル番号に応じて、少なくとも電話回線網およびインターネットを含む複数種類のネットワークそれぞれへ電話端末を選択的に接続することによって、該電話端末による複数種類のネットワークのうちいずれかのネットワークによる音声通話を実現する装置である。
【００２９】
このように構成された通話システムは、選択接続装置および電話端末によって、請求項１から請求項５と同様の作用・効果を得ることができる。
また、請求項６または請求項７の構成において、選択接続装置が、電話回線網におけるダイヤル方式を問い合わせるための方式問合信号を入力した際に、ネットワークとの間で特定の信号を入出力することによってダイヤル方式を推定し、この推定したダイヤル方式を特定可能な信号を応答信号として出力するように構成されている場合には、請求項８に記載のように構成するとよい。
【００３０】
請求項８に記載の通話システムは、電話端末の備える方式決定手段が、所定の問合条件が満たされた際に、選択接続装置へ方式問合信号を出力し、この方式問合信号を出力した後に選択接続装置から入力した応答信号で特定されるダイヤル方式を、電話回線網側へ出力すべきダイヤル信号のダイヤル方式として決定する。
【００３１】
このように構成された電話端末によれば、選択接続装置から入力された応答信号の組合せに対応するダイヤル方式がデータテーブルに登録されていない場合には、選択接続装置において推定されたダイヤル方式を、電話回線網側へ出力すべきダイヤル信号のダイヤル方式として決定することができる。
【００３２】
なお、上述の選択接続装置が、電話回線側へ出力すべきダイヤル信号のダイヤル方式を推定するための構成としては、例えば、特許文献１に記載の技術においてダイヤル方式を設定する構成と同様にダイヤル方式を推定する構成を採用すればよい。
【００３３】
また、上述の「問合条件」としては、例えば、電話端末に設けられた操作部により特定の操作が行われたこと、電話端末とデータ通信可能に構成された別の装置から指令信号を受けたことなどを採用することができる。
また、電話端末において、方式決定信号出力手段によりダイヤル方式それぞれの方式決定信号が出力される毎に電話回線網側から入力される応答信号の組み合わせと、電話端末が電話回線網側へ出力すべきダイヤル信号のダイヤル方式とを対応付けて登録したデータテーブルを記録するテーブル記録手段が備えられている場合には、「問合条件」として、テーブル記録手段に記録されたデータテーブルに、選択接続装置から入力された応答信号の組み合わせに対応するダイヤル方式が登録されていないことを採用してもよい。
【００３４】
具体的には、請求項９に記載のように、方式決定手段が、テーブル記録手段に記録されたデータテーブルに登録されているダイヤル方式のうち、電話回線網側から入力された応答信号の組み合わせに対応するダイヤル方式が登録されている場合、このダイヤル方式を電話回線網側へ出力すべきダイヤル信号のダイヤル方式として決定する一方、登録されていない場合、所定の問合条件が満たされたこととして、方式問合信号を出力する、ように構成すればよい。
【００３５】
このように構成された通話システムによれば、テーブル記録手段に記録されたデータテーブルに、選択接続装置から入力された応答信号の組み合わせに対応するダイヤル方式が登録されていない場合に、所定の問合条件が満たされたこととして、方式問合信号を出力することができる。
【００３６】
なお、この構成におけるテーブル記録手段は、請求項３に記載のテーブル記録手段と同一の手段であればよいが、別の手段であってもよい。
また、請求項１０に記載の電話端末は、請求項８または請求項９に記載の通話システムを構成するものである。
【００３７】
このように構成された電話端末は、請求項８または請求項９に記載の通話システムの一部を構成することができるため、この電話端末を一部構成とした通話システムは、請求項８または請求項９に記載の通話システムと同様の作用・効果を得ることができる。
【００３８】
また、請求項１１に記載のダイヤルプログラムは、少なくとも請求項１から請求項１０のいずれかに記載の方式決定信号出力手段、方式決定手段、番号指定手段および利用者指定信号出力手段として、コンピュータシステムを機能させるためのプログラムである。
【００３９】
このプログラムを実行するコンピュータシステムは、請求項１から請求項１０のいずれかに記載の電話端末または通話システムの一部を構成することができるため、このコンピュータシステムを一部構成とした電話端末または通話システムは、請求項１から請求項１０のいずれかに記載の電話端末または通話システムと同様の作用・効果を得ることができる。
【００４０】
なお、このダイヤルプログラムは、それぞれコンピュータシステムによる処理に適した命令の順番付けられた列からなるものであって、例えば、ＦＤ、ＣＤ−ＲＯＭ、メモリーカードなどの記録媒体、インターネットなどの通信回線網を介して、電話端末、コンピュータシステム、または、これらを利用する利用者に提供されるものである。また、このダイヤルプログラムを実行するコンピュータシステムとしては、例えば、電話端末に内蔵されたコンピュータシステム、電話端末に無線または有線の通信路を介してデータ通信可能に接続されたコンピュータシステムなどを利用することができる。
【００４１】
【発明の実施の形態】
次に本発明の実施の形態について例を挙げて説明する。
［第１実施形態］
電話端末１は、図１に示すように、電話端末１を電話回線網１００およびインターネット２００それぞれへ選択的に接続する選択接続装置３００と共に通話システムを構成するものであって、制御部１０、メモリ２０、送受話器３０、ユーザインターフェース部（以降、ユーザＩ／Ｆとする）４０、ＮＣＵ（Ｎｅｔｗｏｒｋ  Ｃｏｎｔｒｏｌ  Ｕｎｉｔ）５０などがバス６０を介して接続されてなるものである。
【００４２】
制御部１０は、あらかじめメモリ２０に記録されている処理手順に従って、処理結果をメモリ２０に記録させながら、電話端末１の各構成要素にバス６０経由で指令を送ることによって電話端末１全体の動作を制御する。また、この制御部１０は、後述する方式設定処理（図３）または発呼処理（図５）において、ダイヤル信号を複数種類のダイヤル方式のうちいずれかのダイヤル方式でＮＣＵ５０を介して外部（選択接続装置３００）へ出力する。この「ダイヤル方式」とは、トーンダイヤル方式（または、プッシュ方式、ＤＴＭＦ方式；Ｄｕａｌ  Ｔｏｎｅ  Ｍｕｌｔｉ  Ｆｒｅｑｕｅｎｃｙ  ）、および、２種類のパルスダイヤル方式（１０ｐｐｓ、２０ｐｐｓ）で区別されるダイヤル種別のことである。
【００４３】
送受話器３０は、電話端末１から取り外した状態で使用されるものであって、電話端末１から取り外すことが通話を開始するための操作（以降、オフフック操作）となり、電話端末１に戻すことが通話を終了するための操作（以降、オンフック操作とする）となる。
【００４４】
また、ユーザＩ／Ｆ４０は、数字キーを含む複数のキーからなる操作キー４２、各種情報を表示する表示パネル４４、スピーカおよびスピーカを駆動する駆動回路からなるスピーカ部４６などで構成される。
ＮＣＵ５０は、後述する方式設定処理（図３）または発呼処理（図５）において制御部１０からの指令を受けた際に、電話端末１外部との間で信号を伝送するための伝送経路を形成することにより、電話端末１を外部（選択接続装置３００）との間で信号の入出力が可能な状態とする。なお、こうして形成された伝送経路は、制御部１０からの指令を受けた際に解除する。
【００４５】
選択接続装置３００は、電話端末１から入力したダイヤル信号で示されるダイヤル番号（電話番号）に応じて、このダイヤル番号の端末装置を、電話回線網１００およびインターネット２００のいずれかで選択的に発呼・接続することによって、電話端末１による電話回線網１００またはインターネット２００を介しての音声通話を実現する装置である。この選択接続装置３００は、周知の装置であるため、具体的な構成は省略し、以下に動作内容のみを説明する。
【００４６】
この選択接続装置３００は、電話端末１側からの信号（伝送経路の形成および解除を示す信号、各ダイヤル方式のダイヤル信号など）の入力を検出する機能、電話端末１側へ信号（ダイヤルトーン、ビジートーンなど）を出力する機能、電話端末１と電話回線網１００またはインターネット２００との間で音声信号を入出力（中継）する機能、電話回線網１００側またはインターネット２００側へ信号（伝送経路の形成および解除を示す信号、ダイヤル信号など）を出力する機能などを有している。具体的には、例えば、電話端末１側による伝送経路の形成を検出した際に電話端末１側へのダイヤルトーンの出力を開始して、伝送経路の解除を検出した際に電話端末１側へのダイヤルトーンの出力を停止する。
【００４７】
また、電話端末１側へのダイヤルトーンの出力を開始した以降、電話端末１からのダイヤル信号の入力を検出した際に、このダイヤル信号で示されるダイヤル番号を識別した後、識別したダイヤル番号が特定のダイヤル番号である場合は、ダイヤルトーンの出力を停止すると共に、このダイヤル信号を電話端末１から入力したそのままのダイヤル方式で電話回線網１００へ出力することにより発呼を行う。この発呼以降は、電話端末１と電話回線網１００との間において、相互に入出力される音声信号を信号の形式を変更することなく中継する。一方、識別したダイヤル番号が特定のダイヤル番号でない場合には、ダイヤルトーンの出力を停止すると共に、このダイヤル信号を所定のシグナリング手順（ＶｏＩＰによる；Ｖｏｉｃｅ  ｏｖｅｒ  ＩＰ）に従った形式に変換した上でインターネット２００へ出力することにより発呼を行う。この発呼以降、電話端末１から入力した音声信号をパケット単位のデータに変換してインターネット２００へ出力すると共に、インターネット２００から入力したパケット単位のデータを音声信号に変換して電話端末１へ出力する。なお、本実施形態において、上述した「特定のダイヤル番号」は、「００００」，「０１２０」，「１１０」で始まるダイヤル番号のことである。
【００４８】
また、識別したダイヤル番号が後述する方式設定処理（図３）において電話端末１から入力されるダイヤル方式決定用のダイヤル番号「００」である場合、図２に示すように、このダイヤル番号を示すダイヤル信号のダイヤル方式（入力されたダイヤル信号のダイヤル方式）と、選択接続装置３００から電話回線網１００までに至る電話回線に対して設定されたダイヤル方式と、に応じた応答信号（ダイヤルトーン、ビジートーン、無音；信号なし）を電話端末１側へ出力する。
【００４９】
なお、詳細な説明は省略するが、この通話システムにおいて、選択接続装置３００からインターネット２００までに至る通信経路のうち一部の区間（利用者側から電話局側までの区間）には、選択接続装置３００から電話回線網１００に至る区間を接続する電話回線が併用されている。この区間においては、ＡＤＳＬ（ａｓｙｍｍｅｔｒｉｃ  ｄｉｇｉｔａｌ  ｓｕｂｓｃｒｉｂｅｒ  ｌｉｎｅ）技術によって、電話回線網１００を介して伝送される信号と、インターネット２００を介して伝送されるパケット単位のデータとが重畳された状態で伝送される。
○制御部１０による方式設定処理
以下に、制御部１０が実行する方式設定処理の処理手順を図３に基づいて説明する。この方式設定処理は、電話端末１が起動（電源ＯＮ）した際に実行される。
【００５０】
まず、変数Ｎを初期化する（ｓ１１０）。この処理では、変数Ｎに「１」をセット（１→Ｎ）する。この変数Ｎは、以降の処理（ｓ１５０の処理）において、ダイヤル信号を電話回線網１００へ出力する際のダイヤル方式を示す値がセットされるものであって、「Ｎ＝１」はトーンダイヤル方式、「Ｎ＝２」は２０ｐｐｓのパルスダイヤル方式、「Ｎ＝３」は１０ｐｐｓのパルスダイヤル方式をそれぞれ示す。なお、以降に記載の「ｎ」は、変数Ｎにセットされた値を示すものとする。
【００５１】
次に、変数Ｍを初期化する（ｓ１２０）。この処理では、変数Ｍに「１」をセット（１→Ｍ）する。この変数Ｍは、以降の処理（ｓ２４０までの処理）を繰り返し実行する際の繰り返し回数を示す値がセットされるものである。なお、以降に記載の「ｍ」は、変数Ｍにセットされた値を示すものとする。
【００５２】
次に、ＮＣＵ５０に外部（選択接続装置３００）との間で信号を伝送するための伝送経路を形成させる（ｓ１３０）。こうして、電話端末１側で伝送経路が形成された際、電話端末１と選択接続装置３００とが正常に接続されていれば、伝送経路の形成を検出した選択接続装置３００側からダイヤルトーンが出力されてくる。
【００５３】
次に、メモリ２０における応答記録用の記録領域を初期化する（ｓ１４０）。この応答記録用の記録領域は、以降の処理（ｓ１７０の処理）で応答信号の種類を示す値がそれぞれ記録される第１から第３の記録領域により構成される。
次に、外部（選択接続装置３００）からＮＣＵ１５を介してダイヤルトーンが入力されているかどうかをチェックする（ｓ１５０）。
【００５４】
このｓ１５０の処理で、ダイヤルトーンが入力されたら（ｓ１５０：ＹＥＳ）、ダイヤル方式決定用のダイヤル番号「００」を示すダイヤル信号（以降、方式決定信号とする）を、第ｎ番目のダイヤル方式で出力する（ｓ１６０）。この方式決定信号を入力した選択接続装置３００からは、この方式決定信号のダイヤル方式と、選択接続装置３００から電話回線網１００までに至る電話回線に対して設定されたダイヤル方式とに応じた応答信号（ダイヤルトーン、ビジートーン、無音；信号なし）が出力されてくる（図２参照）。
【００５５】
次に、ｓ１６０の処理でダイヤル信号を出力して所定時間（本実施形態においては０．５秒）経過するまでに外部（選択接続装置３００）から入力された応答信号の種類を示すデータを、応答記録用の記録領域のうち第ｎの記録領域に記録させる（ｓ１７０）。
【００５６】
次に、応答記録用の記録領域に記録されたデータそれぞれに基づいて、電話回線網１００側へ出力すべきダイヤル信号のダイヤル方式を設定可能かどうかチェックする（ｓ１８０）。メモリ２０には、図４に示すように、選択接続装置３００に対して方式決定信号を各ダイヤル方式それぞれで出力した際に選択接続装置３００から入力される応答信号の組み合わせと、電話端末１が電話回線網１００側へ出力すべきダイヤル信号のダイヤル方式（つまり、選択接続装置３００が接続される電話回線に対して設定されたと推定されるダイヤル方式）を示す方式データとを対応付けて登録したデータテーブルがあらかじめ登録されている。なお、このデータテーブルには、選択接続装置３００から入力される応答信号の組み合わせに対応する方式データとして、本方式設定処理をやり直すべき旨を示すデータ（図４における「リトライ」）、ダイヤル方式を設定できない旨を示すデータ（図４における「エラー終了」）なども登録されている。
【００５７】
そのため、このｓ１８０の処理では、メモリ２０に記録されているデータテーブルに登録されているデータのうち、応答記録用の記録領域に記録された各データそれぞれで示される応答信号の組合せに対応する方式データが、ダイヤル方式を示すデータであれば、ダイヤル方式を設定可能であると判定する。一方、応答信号の組合せに対応する方式データが、ダイヤル方式を示すデータでなければ（リトライまたはエラー終了）、ダイヤル方式を設定できないと判定する。なお、このｓ１８０の処理が本方式設定処理を開始して以降、３回実行されるまでは、応答記録用の記録領域のうち第２または第３の記録領域にデータが記録されていないが、この場合は、データが記録されていない状態（図４における「未検査」）を含んだ組合せを参照する。
【００５８】
このｓ１８０の処理で、電話回線網１００側へ出力すべきダイヤル信号のダイヤル方式を設定可能である場合（ｓ１８０：ＹＥＳ）、ダイヤル方式を設定する（ｓ１９０）。この処理では、メモリ２０に記録されているデータテーブルに登録されているデータのうち、応答記録用の記録領域に記録された各データそれぞれで示される応答信号の組合せに対応するデータについて、このデータで示されるダイヤル方式に応じた値を変数Ｆにセットすることによって、ダイヤル方式を設定したこととする。具体的には、応答信号の組合せに対応するデータで示されるダイヤル方式がトーンダイヤル方式であれば「１」がセット（１→Ｆ）され、２０ｐｐｓのパルスダイヤル方式であれば「２」がセット（２→Ｆ）され、１０ｐｐｓのパルスダイヤル方式であれば「３」がセット（３→Ｆ）される。なお、この変数Ｆは、初期状態において「１」がセットされたものであって、後述する発呼処理（図５）でダイヤル信号を出力する際のダイヤル方式を決定する際に参照される変数である。
【００５９】
一方、ｓ１８０の処理で、電話回線網１００側へ出力すべきダイヤル信号のダイヤル方式を設定可能でない場合（ｓ１８０：ＮＯ）、応答信号の組合せに対応するデータが、本方式設定処理をやり直すべき旨を示すデータ（リトライ）であれば（ｓ２００：ＹＥＳ）、変数Ｎの値「ｎ」が３以上（３≦ｎ）であるかどうかをチェックする（ｓ２１０）。ここで、変数Ｎの値が３以上となっている状態は、ｓ１５０からｓ２１０の処理が３種類すべてのダイヤル方式それぞれにより行われたことを示している。
【００６０】
このｓ２１０の処理で、変数Ｎの値「ｎ」が３以上でなければ（ｓ２１０：ＮＯ）、変数Ｎに「１」を加算（ｎ＋１→Ｎ）した後（ｓ２２０）、ｓ１５０の処理へ戻る。
一方、ｓ２１０の処理で、変数Ｎの値「ｎ」が３以上であれば（ｓ２１０：ＹＥＳ）、変数ｍの値「ｍ」が所定の値ｒ（本実施形態においては３）以上（ｒ≦ｍ）であるかどうかをチェックする（ｓ２３０）。
【００６１】
このｓ２３０の処理で、変数ｍの値「ｍ」が所定の値ｒ以上でなければ（ｓ２３０：ＮＯ）、変数ｍに「１」を加算（ｍ＋１→Ｍ）した後（ｓ２４０）、ｓ１４０の処理へ戻る。
こうして、ｓ１４０からｓ２４０の処理が繰り返し行われた後、ｓ１５０の処理でダイヤルトーンが入力されない場合（ｓ１５０：ＮＯ）、ｓ２００の処理で応答信号の組合せに対応するデータがダイヤル方式を設定できない旨を示すデータ（エラー終了）である場合（ｓ２００：ＮＯ）、または、ｓ２３０の処理で変数ｍの値「ｍ」が所定の値ｒ以上である場合（ｓ２３０：ＹＥＳ）、ダイヤル方式を設定できない旨を報知する（ｓ２５０）。この処理では、ダイヤル方式を設定できない旨のメッセージ、および、ユーザＩ／Ｆ４０の操作キー４２によりダイヤル方式を指定すべき旨のメッセージをユーザＩ／Ｆ４０の表示パネル４４に表示させる。この報知の後、利用者は、ユーザＩ／Ｆ４０の操作キー４２によりダイヤル方式を指定する操作を行うことができる。
【００６２】
次に、ユーザＩ／Ｆ４０の操作キー４２によりダイヤル方式を指定する操作が行われるまで待機して（ｓ２６０：ＮＯ）、ダイヤル方式を指定する操作が行われたら（ｓ２６０：ＹＥＳ）、ダイヤル方式を設定する（ｓ２７０）。この処理は、ｓ１９０の処理と同様に、操作キー４２により指定されたダイヤル方式に応じた値を変数Ｆにセットすることによりダイヤル方式を設定したこととする。
【００６３】
具体的には、指定されたダイヤル方式がトーンダイヤル方式であれば「１」がセット（１→Ｆ）され、２０ｐｐｓのパルスダイヤル方式であれば「２」がセット（２→Ｆ）され、１０ｐｐｓのパルスダイヤル方式であれば「３」がセット（３→Ｆ）される。
【００６４】
そして、ｓ１９０またはｓ２７０の処理の後、ｓ１３０の処理で形成させた伝送経路を解除させて（ｓ２８０）、本方式設定処理を終了する。
○制御部１０による発呼処理
以下に、制御部１０が実行する発呼処理の処理手順を図５に基づいて説明する。この発呼処理は、送受話器３０によりオフフック操作が行われた際に開始される。
【００６５】
まず、ＮＣＵ５０に外部（選択接続装置３００）との間で信号を伝送するための伝送経路を形成させる（ｓ３１０）。この処理は、図３におけるｓ１３０の処理と同様の処理である。
次に、送受話器３０によりオンフック操作が行われたかどうかをチェックする（ｓ３２０）。
【００６６】
このｓ３２０の処理で、オンフック操作が行われていなければ（ｓ３２０：ＮＯ）、通話相手側となる端末装置が指定されたかどうかをチェックする（ｓ３３０）。この処理では、ユーザＩ／Ｆ４０の操作キー４２によりダイヤル番号を入力する操作が行われた際に、このダイヤル番号の端末装置が通話相手側として指定されたと判定する。
【００６７】
このｓ３３０の処理で、通話相手側となる端末装置が指定されていなければ（ｓ３３０：ＮＯ）、ｓ３２０の処理へ戻る。
一方、ｓ３３０の処理で、通話相手側となる端末装置が指定されたら（ｓ３３０：ＹＥＳ）、この指定された端末装置のダイヤル番号を示すダイヤル信号を外部（選択接続装置３００）へ出力する（ｓ３４０）。この処理では、図３におけるｓ１９０またはｓ２７０の処理で値（１から３のいずれか）がセットされた変数Ｆで示されるダイヤル方式によって、ダイヤル番号を示すダイヤル信号を外部へ出力する。具体的には、具体的には、「Ｆ＝１」であればトーンダイヤル方式で出力され、「Ｆ＝２」であれば１０ｐｐｓのパルスダイヤル方式で出力され、「Ｆ＝３」であれば２０ｐｐｓのパルスダイヤル方式で出力される。
【００６８】
このように、ダイヤル信号を外部（選択接続装置３００）へ出力することによって、選択接続装置３００を介して通話相手側となる端末装置を発呼することができ、この発呼に通話相手側となる端末装置が応答することによって、この端末装置と電話端末１との間における音声通話が開始されることになる。
【００６９】
次に、送受話器３０によりオンフック操作が行われるまで待機する（ｓ３５０：ＮＯ）。
そして、ｓ３２０またはｓ３５０の処理でオンフック操作が行われたら（ｓ３２０，ｓ３５０：ＹＥＳ）、ｓ３１０の処理で形成させた伝送経路を解除させた後（ｓ３６０）、本発呼処理を終了する。
【００７０】
［第１実施形態の効果］
このように構成された電話端末１によれば、図３におけるｓ１６０，１７０の処理で、各ダイヤル方式それぞれにより方式決定信号を出力する毎に選択接続装置３００から入力される応答信号の組合せに基づいて、ｓ１９０の処理でダイヤル信号のダイヤル方式を設定（決定）することができる。このとき、ダイヤル方式は、ダイヤルトーンおよびビジートーンを含む複数種類の応答信号の組合せに基づいて決定することができる。
【００７１】
このｓ１９０の処理では、応答信号の組み合わせとダイヤル方式を示す方式データとを対応付けて登録したデータテーブルに基づいて、ダイヤル信号のダイヤル方式が設定される。
このデータテーブルは、選択接続装置３００が各ダイヤル方式それぞれにより方式決定信号を入力した際に電話端末１側へ出力する応答信号の組合せが登録されており、この組合せは、選択接続装置３００がいずれのダイヤル方式に設定された電話回線に接続されているかによって異なっている（図４参照）。そのため、このデータテーブルに基づいてダイヤル方式を設定すれば、本実施形態のように、選択接続装置３００により電話端末１と電話回線網１００およびインターネット２００とを間接的に接続した構成において、選択接続装置３００が電話端末１による発呼時にダイヤルトーン以外の信号をも電話端末１側へ出力するような仕様になっている場合であっても、電話回線に対して設定されたダイヤル方式とは異なるダイヤル方式を、電話回線網１００側へ出力すべきダイヤル信号のダイヤル方式として設定（決定）してしまうことがない。
【００７２】
また、選択接続装置３００が、交換機とは異なる動作パターンで動作する場合や、交換機が出力することのない独自の応答信号を電話機１側へ出力するように構成されている場合においても、データテーブルとして動作パターンや独自の応答信号に対応したものを使用するように構成すれば、ダイヤル方式が間違って設定されてしまうことがない。
【００７３】
また、図３におけるｓ１９０の処理では、データテーブルに登録されているダイヤル方式から、応答信号の組合せに対応する方式データを選択するだけで、この方式データで示されるダイヤル方式を、電話回線網１００側へ出力すべきダイヤル信号のダイヤル方式として容易に設定（決定）することができる。さらに、選択接続装置３００側の仕様や動作パターンが変更される場合、または、選択接続装置３００そのものを交換するような場合であっても、データテーブルの内容を変更・修正することによって、仕様変更や動作パターンの変更、または、選択接続装置３００の交換にも対応することができる。
【００７４】
また、電話端末１自身が起動したことを契機に図３の方式設定処理を開始でき、ｓ１６０の処理で方式決定信号を出力した後、ｓ１９０の処理で電話回線網１００側へダイヤル信号を出力する際のダイヤル方式を設定することができる。
また、図３におけるｓ１８０以降の処理で、選択接続装置３００から入力された応答信号の組合せに対応するダイヤル方式がデータテーブルに登録されておらず、ダイヤル方式が設定できない場合には（ｓ２００：ＮＯ，ｓ２３０：ＮＯ）、ｓ２６０の処理で利用者により指定されたダイヤル方式を、電話回線網１００側へ出力する際のダイヤル方式として設定（決定）することができる。
また、図３におけるｓ２５０の処理によって、ダイヤル方式を設定できない旨、および、ユーザＩ／Ｆ４０の操作キー４２によりダイヤル方式を指定すべき旨を、利用者に報知することができる。
【００７５】
［第２実施形態］
電話端末２は、第１実施形態に記載の電話端末１と同様に、電話端末２を電話回線網１００およびインターネット２００それぞれへ選択的に接続する選択接続装置４００と共に通話システムを構成するものである。
【００７６】
選択接続装置４００は、第１実施形態における選択接続装置３００と同様の機能の他、電話回線網１００側へ出力すべきダイヤル信号のダイヤル方式、つまり、選択接続装置４００の接続されている電話回線に対して設定されたダイヤル方式を推定する機能を有している。
【００７７】
具体的には、電話端末２側へのダイヤルトーンの出力を開始した以降、電話端末２からのダイヤル信号の入力を検出した際に、このダイヤル信号で示されるダイヤル番号が後述する方式設定処理（図３）において電話端末２から入力されるダイヤル番号「＊＊」である場合、まず、特許文献１に記載の技術においてダイヤル方式を設定する構成と同様に電話回線網１００との間で特定の信号を入出力することによって、電話回線網１００側へ出力すべきダイヤル信号のダイヤル方式を推定する。そして、ダイヤル方式を推定できた場合には、推定したダイヤル方式を特定可能な信号を応答信号として出力し、ダイヤル方式を推定できない場合には、ダイヤル方式が推定できない旨を通知するための信号を応答信号として出力する。
○制御部１０による方式設定処理
以下に、制御部１０が実行する方式設定処理の処理手順を図６に基づいて説明する。なお、この方式設定処理は、図３の方式設定処理と一部処理内容が異なっているだけであるため、この相違点についてのみ詳述する。
【００７８】
図３の方式設定処理と同様に、ｓ１４０からｓ２４０の処理が繰り返し行われた後、ｓ２００の処理で応答信号の組合せに対応するデータがダイヤル方式を設定できない旨を示すデータ（エラー終了）である場合（ｓ２００：ＮＯ）、または、ｓ２３０の処理で変数ｍの値「ｍ」が所定の値ｒ以上である場合（ｓ２３０：ＹＥＳ）、ダイヤル番号「＊＊」を示すダイヤル信号（以降、方式問合信号とする）を、選択接続装置４００へ出力する（ｓ４１０）。この方式問合信号は、選択接続装置４００が接続された電話回線に対して設定されたダイヤル方式を問い合わせるための信号である。この処理において、方式問合信号は、いずれのダイヤル方式で出力してもよいが、本実施形態においては第ｎ番目のダイヤル方式で出力する。この方式問合信号を入力した選択接続装置４００では、ダイヤル方式が推定された後、応答信号が出力されてくる。
【００７９】
次に、選択接続装置４００から応答信号を入力する（ｓ４２０）。
次に、ｓ４２０の処理で入力した応答信号に基づいてダイヤル方式を特定できるかどうかをチェックする（ｓ４３０）。
このｓ４３０の処理で、ダイヤル方式を特定できた場合（ｓ４３０：ＹＥＳ）、ダイヤル方式を設定する（ｓ４４０）。この処理は、図３におけるｓ１９０，ｓ２７０の処理と同様に、応答信号に基づいて特定されたダイヤル方式に応じた値を変数Ｆにセットすることによりダイヤル方式が設定されたこととなる。具体的には、特定されたダイヤル方式がトーンダイヤル方式であれば「１」がセット（１→Ｆ）され、２０ｐｐｓのパルスダイヤル方式であれば「２」がセット（２→Ｆ）され、１０ｐｐｓのパルスダイヤル方式であれば「３」がセット（３→Ｆ）される。
【００８０】
そして、このｓ４４０の処理を終えた後、ｓ２８０の処理へ移行する。
一方、ｓ４３０の処理で、ダイヤル方式を特定できない、つまり、応答信号によりダイヤル方式を推定できない旨を通知するための信号である場合（ｓ４３０：ＮＯ）、ｓ２５０の処理へ移行する。
【００８１】
［第２実施形態の効果］
このように構成された電話端末２によれば、第１実施形態と同様の効果の他に、図６におけるｓ１８０以降の処理で、選択接続装置３００から入力された応答信号の組合せに対応するダイヤル方式がデータテーブルに登録されておらず、ダイヤル方式が設定できない場合には（ｓ２００：ＮＯ，ｓ２３０：ＮＯ）、ｓ４２０の処理で選択接続装置４００から入力される応答信号で特定されるダイヤル方式であり、選択接続装置４００において推定されたダイヤル方式を、電話回線網１００側へ出力すべきダイヤル信号のダイヤル方式として決定することができる。
【００８２】
［変形例］
以上、本発明の実施形態について説明したが、本発明は上記の具体的な実施形態に限定されず、このほかにも様々な形態で実施することができる。
例えば、上記実施形態においては、図３，図５，図６における各処理が、電話端末１，２の制御部１０からなるコンピュータシステムにより実行されるように構成されたものを例示した。しかし、これら各処理の一部または全部が、電話端末１，２に有線・無線の信号伝送路で接続された別のコンピュータシステムにより実行されるように構成してもよい。
【００８３】
また、上記実施形態において、制御部１０は、図３，図５，図６の各処理を、メモリ２０に記憶されている処理手順に従って実行するように構成されたものを例示した。しかし、制御部１０が、例えば、ＦＤやメモリーカードなどの記録媒体との間でデータを入出力可能に構成されている場合には、上述の処理手順が記録されている記録媒体から処理手順を読み出して、上記各処理が実行されるように構成してもよい。
【００８４】
また、本実施形態において、図３，図６の方式設定処理は、電話端末１が起動したことを契機に開始され、ｓ１６０の処理でダイヤル方式設定用のダイヤル信号を出力するように構成されたものを例示した。しかし、例えば、電話端末１に設けられた方式決定信号を出力させるためのスイッチ類が操作されたことや、ユーザＩ／Ｆ４０の操作キー４２により方式決定信号を出力させるための操作が行われたことによる指令信号を受けて、図３の方式設定処理を開始してダイヤル方式設定用のダイヤル信号を出力するように構成してもよい。また、電話端末１とデータ通信可能に構成された別の装置からの指令信号を受けて、図３の方式設定処理を開始してダイヤル方式設定用のダイヤル信号を出力するように構成してもよい。
【００８５】
また、上記実施形態において、上述した選択接続装置３００，４００を含む複数種類の選択接続装置それぞれに対応する複数のデータテーブルをメモリ２０に記録させておき、図３，図６におけるｓ１９０の処理でダイヤル方式を設定する際に参照すべきデータテーブルを複数のデータテーブルのいずれかに切り替えることができるように構成してもよい。具体的には、例えば、ユーザＩ／Ｆ４０の操作キー４２によりデータテーブルを切り替えるための操作が行われたことなどによる指令信号を受けて、制御部１０（テーブル切替手段として機能）がデータテーブルを切り替えるように構成してもよい。また、電話端末１とデータ通信可能に構成された別の装置からの指令信号を受けて、制御部１０がデータテーブルを切り替えるように構成してもよい。
【００８６】
このように構成すれば、選択接続装置そのものを交換するような場合であっても、ｓ１９０の処理でダイヤル方式を設定する際に参照すべきデータテーブルを、交換後の選択接続装置３００に対応するデータテーブルに切り替えるだけで、容易に選択接続装置３００の交換に対応することができる。
【００８７】
また、上記実施形態においては、図３，図６におけるｓ２６０の処理で、ユーザＩ／Ｆ４０の操作キー４２により利用者にダイヤル方式を指定させるように構成されたものを例示した。しかし、利用者にダイヤル方式を指定させるための構成は特に限定されず、例えば、ダイヤル方式を指定するための専用の操作部を設けてもよい。
【００８８】
また、上記実施形態においては、図３，図６におけるｓ１５０の処理でダイヤルトーンが入力されない場合に、ｓ２５０の処理へ移行するように構成されたものを例示した。しかし、ｓ１５０の処理でダイヤルトーンが入力されない場合には、図７に示すように、電話端末１と選択接続装置３００とが正常に接続されていない旨を報知した後（ｓ１５２）、ｓ２８０の処理へ移行するように構成してもよい。このｓ１５２の処理では、電話端末１と選択接続装置３００とが正常に接続されていない旨のメッセージをユーザＩ／Ｆ４０の表示パネル４４に表示させる。このように構成すれば、利用者は、ｓ１５２の処理による報知によって、電話端末１と選択接続装置３００とが正常に接続されていないことを確認することができる。
【００８９】
また、本実施形態においては、ダイヤル番号「００」を示すダイヤル信号が、本発明における方式決定信号であるものを例示した。しかし、方式決定信号としては、他のダイヤル番号であってもよいし、電話端末１，２から選択接続装置３００，４００へ出力可能な信号であれば、ダイヤル信号以外の信号を使用してもよい。
【００９０】
また、本実施形態においては、ダイヤル番号「＊＊」を示すダイヤル番号が、本発明における方式問合信号であるものを例示した。しかし、方式問合信号としては、他のダイヤル番号であってもよいし、電話端末１，２から選択接続装置３００，４００へ出力可能な信号であれば、ダイヤル信号以外の信号を使用してもよい。
また、上記第２実施形態においては、図６におけるｓ１８０の処理で応答記録用の記録領域に記録された各データそれぞれで示される応答信号の組合せに対応する方式データがダイヤル方式を示すデータでない、つまり、応答信号の組み合わせに対応するダイヤル方式が登録されておらず、かつ、ｓ２３０の処理で変数ｍの値「ｍ」が所定の値ｒ以上となったことを条件（問合条件）が満たされたとして、ｓ４１０の処理で方式問合信号を出力するように構成されたものを例示した。しかし、ｓ４１０の処理で方式問合信号を出力するための条件としては、このｓ２３０，ｓ４１０の処理以外に、例えば、電話端末に設けられた操作部により特定の操作が行われたこと、電話端末とデータ通信可能に構成された別の装置から指令信号を受けたことなどを採用してもよい。
【００９１】
［本発明との対応関係］
以上説明した実施形態において、メモリ２０は本発明におけるテーブル記録手段である。
また、図３，図６におけるｓ１６０の処理は本発明における方式決定信号出力手段、ｓ１９０，ｓ２７０，ｓ４４０の処理は本発明における方式決定手段、ｓ２５０の処理は本発明における指定報知手段、ｓ２６０の処理は本発明における方式指定手段である。
【００９２】
また、図５におけるｓ３３０の処理は本発明における番号指定手段、ｓ３４０の処理は本発明における利用者指定信号出力手段である。
【図面の簡単な説明】
【図１】実施形態における電話端末の構成を示すブロック図
【図２】ダイヤル信号が入力された選択接続装置から出力される信号の種類を示す図
【図３】第１実施形態における方式設定処理の処理手順を示すフローチャート
【図４】メモリに記録されているデータテーブルのデータ構造を示す図
【図５】発呼処理の処理手順を示すフローチャート
【図６】第２実施形態における方式設定処理の処理手順を示すフローチャート
【図７】別の実施形態における方式設定処理の処理手順を示すフローチャート
【符号の説明】
１，２・・・電話端末、１０・・・制御部、２０・・・メモリ、３０・・・送受話器、４０・・・ユーザインターフェース、４２・・・操作キー、４４・・・表示パネル、４６・・・スピーカ部、５０・・・ＮＣＵ、６０・・・バス。
【図１】
2004214878.tif 000003
【図２】
2004214878.tif 000004
【図３】
2004214878.tif 000005
【図４】
2004214878.tif 000006
【図５】
2004214878.tif 000007
【図６】
2004214878.tif 000008
【図７】
2004214878.tif 000009